(57)【要約】【課題】既存の洗髪台に着脱可能に設置できると共に、容易に素早く通液が可能となる薬液循環装置の提供を図る。【解決手段】毛髪処理用の洗髪ボウル本体１１の排水路に嵌合する封水栓２２を下部に備え、上部に循環用ポンプ２１を備える。洗髪台は、ボウル本体１１と、このボウル本体１１の下方に延設された排水筒１３とを備え、排水筒１３から排水管１５への排出口１４に封水栓２２嵌合させる。薬液循環装置はヒーター部４１と、このヒーター部４１にシャワー用ホース２６を介して接続されたシャワーヘッド２４とを備える。排水筒１３に溜まった薬液は、循環用ポンプ２１によってシャワーノズル２４から吐出されて、循環使用される。【選択図】図１
0003151715.tif 000002
【実用新案登録請求の範囲】
【請求項１】
毛髪処理用の洗髪台の排水路に嵌合する封水栓を下部に備え、上部に循環用ポンプを備え、封水栓の嵌合により洗髪台に塞き止めた薬液を循環用ポンプで送って被洗髪者に吐出するようにしたことを特徴とする薬液循環装置。
【請求項２】
上記循環用ポンプを収納するケーシングを備え、このケーシングの底部から上記封水栓が下方に突出して設けられ、このケーシングに吸込み口と吐出口とが設けられ、吐出口に吐出用ホースが接続され、循環用ポンプにて吸込み口から吸い込まれた薬液が吐出口から吐出用ホースに送られるものであることを特徴とする請求項１記載の薬液循環装置。
【請求項３】
請求項２記載の薬液循環装置と、この薬液循環装置が装着される洗髪台との配置構造において、
上記洗髪台は、ボウル本体と、このボウル本体に開口する排水口と、この排水口の下方に延設された排水筒と、この排水筒の底部に接続される排水管とを備え、この排水管は上記排水筒より小さな径を有し、この排水管の排出口が排水筒内にて開口し、
上記封水栓はテーパ面を備えたものであり、このテーパ面が上記排出口に嵌合するものであり、
上記薬液循環装置はヒーター部と、このヒーター部にシャワー用ホースを介して接続されたシャワーヘッドとを備え、
このヒーター部は上記吐出用ホースを介して上記循環用ポンプに接続され、
上記排水筒に溜まった薬液が、上記の吸込み口、循環用ポンプ、吐出口、吐出用ホース、ヒータ、シャワー用ホースを経て、上記シャワーノズルから吐出されるものであることを特徴とする薬液循環装置の配置構造。
【請求項４】
請求項２記載の薬液循環装置と、この薬液循環装置が装着される洗髪台との配置構造において、
上記洗髪台は、ボウル本体と、このボウル本体に開口する排水口とを備え、
上記封水栓はテーパ面を備えたものであり、
この封水栓のテーパ面が上記排水口に嵌合するものであり、
上記薬液循環装置はヒーター部と、このヒーター部にシャワー用ホースを介して接続されたシャワーヘッドとを備え、
このヒーター部は上記吐出用ホースを介して上記循環用ポンプに接続され、
上記ボウル本体に溜まった薬液が、上記の吸込み口、循環用ポンプ、吐出口、吐出用ホース、ヒータ、シャワー用ホースを経て、上記シャワーノズルから吐出されるものであることを特徴とする薬液循環装置の配置構造。
【請求項５】
上記の循環用ポンプは、ケーシングと、このケーシングの下部に設けられた吸込み口と、吸込み口の上方に設けられたインペラと、このインペラの上方に配置されインペラを回転させる電動機とを備え、インペラと封水栓との間の距離が3cm以内であることを特徴とする請求項３又は４記載の薬液循環装置の配置構造。
【考案の詳細な説明】
【技術分野】
【０００１】
本願考案は、理美容室、エステ、育毛サロンなどにおいて頭皮マッサージや頭髪のトリートメント処理などを施術する場合に使用する薬液循環装置に関するものである。
【背景技術】
【０００２】
従来より、この種の薬液循環装置については、洗髪ボールと給排水部が一体となった装置があったが、既存のサロンでは装置の大きさや配管などで設置が困難であった。そのため、特許文献１では、薬液を回収して貯留するタンクを既存の洗髪台に配置し、洗髪台の上方等に配置されたポンプを、このタンクに接続し、ポンプで吸い上げたタンク内の薬液を被施術者の頭部に散布する装置が提案されている。
【０００３】
ところが、特許文献１では、ポンプがタンクよりもかなり上方に配置される場合が多く、薬液の液面よりポンプがかなり高い位置に置かれる結果、作動時にエア噛みが発生し、瞬時に薬液を吐出することが出来ず、ポンプユニットへ呼び水などの処理を人が行うか、そのための装置を付加する必要がある。
【０００４】
【特許文献１】特開２００６−４４１号公報
【考案の開示】
【考案が解決しようとする課題】
【０００５】
本願考案の目的は、既存の洗髪台に着脱可能に設置できると共に、容易に素早く通液が可能となる薬液循環装置の提供を図ることにある。
【課題を解決するための手段】
【０００６】
本願の請求項１に係る考案は、毛髪処理用の洗髪台の排水路に嵌合する封水栓を下部に備え、上部に循環用ポンプを備え、封水栓の嵌合により洗髪台に塞き止めた薬液を循環用ポンプで送って被洗髪者に吐出するようにしたことを特徴とする薬液循環装置を提供する。
【０００７】
本願の請求項２に係る考案は、上記循環用ポンプを収納するケーシングを備え、このケーシングの底部から上記封水栓が下方に突出して設けられ、このケーシングに吸込み口と吐出口とが設けられ、吐出口に吐出用ホースが接続され、循環用ポンプにて吸込み口から吸い込まれた薬液が吐出口から吐出用ホースに送られるものであることを特徴とする請求項１記載の薬液循環装置を提供する。
【０００８】
本願の請求項３に係る考案は、請求項２記載の薬液循環装置と、この薬液循環装置が装着される洗髪台との配置構造において、上記洗髪台は、ボウル本体と、このボウル本体に開口する排水口と、この排水口の下方に延設された排水筒と、この排水筒の底部に接続される排水管とを備え、この排水管は上記排水筒より小さな径を有し、この排水管の排出口が排水筒内にて開口し、上記封水栓はテーパ面を備えたものであり、このテーパ面が上記排出口に嵌合するものであり、上記薬液循環装置はヒーター部と、このヒーター部にシャワー用ホースを介して接続されたシャワーヘッドとを備え、このヒーター部は上記吐出用ホースを介して上記循環用ポンプに接続され、上記排水筒に溜まった薬液が、上記の吸込み口、循環用ポンプ、吐出口、吐出用ホース、ヒータ、シャワー用ホースを経て、上記シャワーノズルから吐出されるものであることを特徴とする薬液循環装置の配置構造を提供する。
【０００９】
本願の請求項４に係る考案は、請求項２記載の薬液循環装置と、この薬液循環装置が装着される洗髪台との配置構造において、上記洗髪台は、ボウル本体と、このボウル本体に開口する排水口とを備え、上記封水栓はテーパ面を備えたものであり、この封水栓のテーパ面が上記排水口に嵌合するものであり、上記薬液循環装置はヒーター部と、このヒーター部にシャワー用ホースを介して接続されたシャワーヘッドとを備え、このヒーター部は上記吐出用ホースを介して上記循環用ポンプに接続され、上記ボウル本体に溜まった薬液が、上記の吸込み口、循環用ポンプ、吐出口、吐出用ホース、ヒータ、シャワー用ホースを経て、上記シャワーノズルから吐出されるものであることを特徴とする薬液循環装置の配置構造を提供する。
【００１０】
本願の請求項５に係る考案は、上記の循環用ポンプは、ケーシングと、このケーシングの下部に設けられた吸込み口と、吸込み口の上方に設けられたインペラと、このインペラの上方に配置されインペラを回転させる電動機とを備え、インペラと封水栓との間の距離が３cm以内であることを特徴とする請求項３又は４記載の薬液循環装置の配置構造を提供する。
【考案の効果】
【００１１】
本願考案は、理容室等における既存の毛髪処理用の洗髪台に着脱可能に設置できると共に、容易に素早く通液が可能となる薬液循環装置を提供することができたものである。
【００１２】
本願の請求項２に係る考案は、循環用ポンプのケーシングの底部から上記封水栓が下方に突出して設けられ、このケーシングに吸込み口と吐出口とが設けられたものであるため、洗髪台に封水栓で封をするだけで、薬液がたまる部分のすぐ上に循環用ポンプと吸込み口が配位されるものであり、エア噛みが生じるおそれがなく、素早く通液が可能となったものである。
【００１３】
本願の請求項３に係る考案は、既存の洗髪台の排水筒を薬液のタンクとして用いる具体的構造を提案し得たものであり、排水筒に溜まった薬液が、上記の吸込み口、循環用ポンプ、吐出口、吐出用ホース、ヒータ、シャワー用ホースを経て、上記シャワーノズルから吐出される薬液循環装置の配置構造を提供し得たものである。
【００１４】
本願の請求項４に係る考案は、既存の洗髪台のボウル本体を薬液のタンクとして用いる具体的構造を提案し得たものであり、ボウル本体に溜まった薬液が、上記の吸込み口、循環用ポンプ、吐出口、吐出用ホース、ヒータ、シャワー用ホースを経て、上記シャワーノズルから吐出される薬液循環装置の配置構造を提供し得たものである。
【００１５】
さらにこの請求項３又は４の考案にあっては、この封水栓のテーパ面が、排水管の排出口又はボウル本体の排水口に嵌合するものであるため、洗髪台の種類によってこれらの口径が若干異なっても、封水栓のテーパ面により無理なく対応でき、汎用性が高い。薬液循環装置はヒーター部を備えたものであたるめ、適切な温度の薬液を被施術者の頭部に吐出させることができる。
【００１６】
本願の請求項５に係る考案は、上記の循環用ポンプは、ケーシングと、このケーシングの下部に設けられた吸込み口と、吸込み口の上方に設けられたインペラと、このインペラの上方に配置されインペラを回転させる電動機とを備え、インペラと封水栓との間の距離が３cm以内であるため、少量の薬液でもエア噛みすることなく、循環させることができる薬液循環装置の配置構造を提供することができたものである。
【考案を実施するための最良の形態】
【００１７】
以下、図面に基づき本願考案の実施の形態を説明する。
図１は一実施の形態に係る薬液循環装置の配置構造の説明図、図２は同要部拡大図である。
【００１８】
この実施の形態に係る薬液循環装置は、理美容室、エステ、育毛サロンなどに設置された洗髪台に着脱可能に設置して用いられるものである。特に、通常の水を多用する洗髪時ではなく、頭皮マッサージ施術や頭髪のトリートメント処理施術などで薬液を被施術者の頭部に塗布する場合に用いるのに最適であるが、これらの施術に限定して理解されるべきではない。
【００１９】
まず、洗髪台から説明する。洗髪台は既存のものを用いるものであり、種々の形態のものに適用できる。図１はその一例を示したもので、施術室の壁面に陶器製等のボウル本体１１が固定されている。図２に拡大して示すように、ボウル本体１１の底部には、排水路を備える。この排水路としては、ボウル本体１１の底部に排水口１２が開口し、この排水口１２の下方には排水筒１３が延設されている。排水筒１３の底部には排水管１５が接続されている。この排水管１５は、排水筒１３よりも小さな径を備え、図２の例では排水筒１３の底部に排出口１４が開口しているが、排水トラップを構成する場合には、排水管１５の先端の排出口１４が排水筒１３の底部よりも高い位置となるようにしてもよい。
【００２０】
次に、薬液循環装置について説明する。この薬液循環装置は、図１に示すように、循環用ポンプ２１と、循環用ポンプ２１とは別体の操作部２３とシャワーヘッド２４とを備える。
図２に示すように、循環用ポンプ２１のケーシング３１下端からは、合成ゴム製等の封水栓２２が下方に突出しており、この封水栓２２が排出口１４に嵌合することにより、排水筒１３内に薬液を溜める。封水栓２２の外形は、先端に向かって細くなるテーパ面とされており、排出口１４の大きさの変化に対応する。
【００２１】
循環用ポンプ２１は、ケーシング３１を備え、このケーシング３１の下部には吸込み口３２が開口している。この吸込み口３２にはフィルタ３３が配設され、フィルタ３３にて濾過された薬液がケーシング３１内に吸入される。フィルタ３３の上方にはインペラ３５が設けられ、このインペラ３５の上方にはインペラ３５を回転させるための電動機３７が設けられている。この電動機３７は液密性が高いモーター室３６内に収納されており、接合部分や開口部にはＯリング３９やシールパッキン４０が用いられている。このモーター室３６の下端からは、電動機３７の回転軸が下方に突出して、インペラ３５を回転させる。このインペラ３５の下端と前述の封水栓の上端との間の距離は3cm以内とすることが適当である。この距離が大きすぎると、使用開始時に薬液がインペラ３５にまで達しておらず、エア噛みや循環時必要以上に薬液が必要となるおそれがある。
【００２２】
インペラ３５にて加圧された薬液は、ケーシング３１の上部に設けられた吐出口３４から吐出される。この吐出口３４には吐出用ホース２５が接続されており、この吐出用ホース２５は操作部２３に接続されている。また、上記の循環用ポンプ２１の電動機３７を作動させる電源供給用の接続コード３８が循環用ポンプ２１と操作部２３との間に配設されている。これら吐出用ホース２５と接続コード３８は、ボウル本体１１の内面等に沿わされて配置される。
【００２３】
操作部２３は、ボウル本体１１とは離された棚等に載置されるもので、操作部２３内にはヒータ４１と制御基板４２とを備える。ヒータ４１は吐出用ホース２５からの薬液を適当な温度に加熱するもので、加熱後の薬液はシャワー用ホース２６を介してシャワーヘッド２４に送られて吐出される。吐出された薬液は被施術者の頭部等に散布され、残余がボウル本体１１の排水筒１３に溜まって、循環用ポンプ２１の吸込み口３２から吸引されて、循環を繰り返す。
【００２４】
制御基板４２は、循環用ポンプ２１の運転を制御するものであり、停止と運転、必要に応じて電動機３７の回転数など出力の強弱を制御し、さらに、必要に応じてヒータ４１の加熱の有無と温度を制御する。図示は省略するが、操作部２３には操作用のスイッチ類が設けられている。
【００２５】
使用方法を簡単に説明すると、まず、封水栓２２にて排出口１４を閉じる。次に、使用する薬液をボウル本体１１に流し込むと、その薬液は排水筒１３に溜まる。十分な量が溜まると、操作部２３の操作用スイッチを入れて、循環用ポンプ２１を作動させて、シャワーヘッド２４から薬液を吐出させる。このとき、ポンプの吸込み口３２及びインペラ３５は封水栓２２の直近にあり、排水筒１３に溜まる薬液の液面は、吸込み口３２及びインペラ３５より直ぐに高くなる。そのため、通常の施術に用いる程度の薬液を注ぐだけで、エア噛み等を生じることなく、素早くシャワーヘッド２４から薬液が吐出する。吐出後にボウル本体１１に戻った薬液は排水筒１３に溜まり、循環する。
【００２６】
本願考案は、上記の実施の形態の他、請求項の記載の範囲内で適宜変更して実施することができる。例えば、循環用ポンプ２１のポンプの形式は種々変更することができる。また、封水栓２２は、排出口１４を封じるものとしているが、ボウル本体１１の底部に開口する排水口１２を封じるものとして実施することもできる。
【図面の簡単な説明】
【００２７】
【図１】一実施の形態に係る薬液循環装置の配置構造の説明図である。
【図２】同要部拡大図である。
【符号の説明】
【００２８】
１１  ボウル本体
１２  排水口
１３  排水筒
１４  排出口
１５  排水管
２１  循環用ポンプ
２２  封水栓
２３  操作部
２４  シャワーヘッド
２５  吐出用ホース
２６  シャワー用ホース
３１  ケーシング
３２  吸込み口
３３  フィルタ
３４  吐出口
３５  インペラ
３６  モーター室
３７  電動機
４１  ヒータ
【図１】
0003151715.tif 000003
【図２】
0003151715.tif 000004